(57)【特許請求の範囲】
【請求項１】
電気接続用の被接続コネクタとドラムユニット固定用の被係合部とを有する印刷装置本体と、前記印刷装置本体に着脱自在であって前記被接続コネクタに接続可能なコネクタと前記被係合部に係合可能な係合部と前記コネクタ及び前記係合部を移動させる操作レバーとを有しマスタが巻き付けられる印刷ドラムを回転自在に支持するドラムユニットとを具備し、前記ドラムユニットが前記印刷装置本体の所定位置に置かれた状態で前記操作レバーを操作し、前記係合部を前記被係合部に係合する位置または係合を解除する位置に移動させることにより前記ドラムユニットを前記印刷装置本体に対して固定または固定解除し、前記係合部の移動に連動させて前記コネクタを移動させ、前記係合部と前記被係合部とが係合したときには前記コネクタと前記被接続コネクタとを接続させ、前記係合部と前記被係合部との係合が解除されたときには前記コネクタと前記被接続コネクタとの接続を解除させる孔版印刷装置であって、
前記操作レバーの回動に連動させて前記コネクタを移動させる、前記操作レバーと前記コネクタとを繋ぐリンク部材を有する連動機構を有し、前記リンク部材は前記操作レバーが始点から終点まで回動する間にその回動動作の一部を前記コネクタに伝達させずに前記コネクタをその場に停留させる停留部を有することを特徴とする孔版印刷装置。
【請求項２】
請求項１記載の孔版印刷装置において、
前記操作レバーと前記リンク部材とが接続部材によって接続され、前記停留部は前記操作レバーの回動に伴って移動する前記接続部材の軌跡と同じ形状に形成されていることを特徴とする孔版印刷装置。
【請求項３】
請求項１または２記載の孔版印刷装置において、
前記操作レバーの回動範囲を規制するストッパーを有することを特徴とする孔版印刷装置。
【請求項４】
印刷ドラムを回転自在に支持し、印刷装置本体に着脱自在なドラムユニットであって、
前記印刷装置本体に装着したときに自身と前記印刷装置本体とを電気的に接続する、接続位置と非接続位置とを選択的に占めるコネクタと、前記印刷装置本体に対して自身を固定する固定手段を固定位置と固定解除位置とに変位させる操作レバーと、前記操作レバーの操作に連動させて前記コネクタを接続位置と非接続位置とに移動させる、前記操作レバーと前記コネクタとを繋ぐリンク部材を有する連動機構とを有し、前記リンク部材は前記操作レバーが始点から終点まで回動する間にその回動動作の一部を前記コネクタに伝達させずに前記コネクタをその場に停留させる停留部を有することを特徴とするドラムユニット。
【請求項５】
請求項４記載のドラムユニットにおいて、
前記操作レバーと前記リンク部材とが接続部材によって接続され、前記停留部は前記操作レバーの回動に伴って移動する前記接続部材の軌跡と同じ形状に形成されていることを特徴とするドラムユニット。
【請求項６】
請求項４または５記載のドラムユニットにおいて、
前記操作レバーの回動範囲を規制するストッパーを有することを特徴とするドラムユニット。
【発明の詳細な説明】
【０００１】
【発明の属する技術分野】
本発明は、印刷ドラムの外周面上に製版済みマスタを巻装して印刷を行う孔版印刷装置及びこの孔版印刷装置に用いられるドラムユニットに関し、詳しくは印刷ドラムの着脱機構に関する。
【０００２】
【従来の技術】
多孔性の支持円筒体に樹脂あるいは金属網体のメッシュスクリーンを複数層巻装した構成の回転自在な印刷ドラムと、熱可塑性樹脂フィルムに和紙繊維または合成繊維あるいは和紙繊維と合成繊維とを混抄したものからなる多孔性支持体を貼り合わせたラミネート構造のマスタとを用い、マスタの熱可塑性樹脂フィルム面をサーマルヘッド等の穿孔手段で加熱穿孔製版した後に印刷ドラムに巻装し、印刷ドラム内部に設けられた、インキポンプやインキセンサー等を有するインキ供給手段で印刷ドラムの内周面に適量のインキを供給して、プレスローラーや圧胴等の押圧部材で印刷用紙を印刷ドラムに押圧することにより、印刷ドラム開孔部、マスタ穿孔部より滲出したインキを印刷用紙に転写させて印刷を行うデジタル式感熱孔版印刷装置がよく知られている。
【０００３】
この孔版印刷装置では、例えば特開昭５７−９８３６１号公報でも提案されているように、原稿画像の多様化により多色での印刷画像が要求され、これに対応するために色替え作業を容易に行うべく、印刷ドラムを装置本体に対して着脱自在とした構成が主流となっている。しかし、上述したように印刷ドラムの内部にはインキ供給手段が設けられているため、印刷ドラム交換時においてインキポンプやインキセンサー等の駆動力を断接可能とする必要がある。そこで、印刷ドラムを回転自在に支持すると共に装置本体に対して着脱可能なフレーム及び装置本体にそれぞれ電気コネクタを設け、装置本体に対するフレームの係合固定時にフレームに設けられた電気コネクタが歯車機構によって前進移動し、この電気コネクタが装置本体に設けられた電気コネクタに接続されて駆動電源が印刷ドラム側に供給され、装置本体に対するフレームの係合固定解除時にフレームに設けられた電気コネクタが後退移動し、各電気コネクタの接続が断たれる構成を採用した孔版印刷装置が特開平１１−１９８５１１号公報に開示されている。
【０００４】
上記公報に開示された技術によれば、装置本体に対するフレームの係合動作を下方から上方へのレバーの回動動作により行い、これに連動させてフレーム側の電気コネクタを前進移動させる構成としたので、装置本体に対するドラムユニットの着脱と各電気コネクタの係脱とを同時に行うことができ、また上方から下方へのレバーの回動により装置本体とフレームとの係合を解除させる構成としたので、ドラムユニットを装置本体より取り外したときにレバーが下方に位置することとなり、そのままの状態でドラムユニットを再び装置本体に装着することができ、さらに装置本体とドラムユニットとの係合時においてレバーがドラムユニット把持用の取手の一部を覆うため、レバーを回動させた後でなければ取手を把持してドラムユニットを装置本体より取り外すことができないことをオペレーターに示すことができ、ドラムユニット着脱操作の簡易化を図ることにより著しい操作性の向上を図ることができる。
【０００５】
【発明が解決しようとする課題】
しかし上述の構成では、レバーとドラムユニット側の電気コネクタとを歯車機構により連動させる構成を採用し、かつドラムユニット側の電気コネクタの移動量が支持軸により機械的に規制されているため、通常の操作では問題ないものの、装置本体に対するドラムユニットの着脱時にレバー操作が粗雑に行われた場合、例えば装置本体とドラムユニットとの係合解除時にレバーの下方への回動が必要以上の負荷によって行われた場合に、電気コネクタの移動は支持軸によって機械的に規制されるため、レバーに加えられた必要以上の負荷は支持軸あるいはレバーと電気コネクタとを繋ぐ歯車に掛かることとなり、多くの場合は支持軸よりも強度の低い歯車が破損してしまうという問題点が発生する虞がある。
【０００６】
また、破損した歯車を交換する場合には、レバーが上方に位置してドラムユニットと装置本体とが係合し、かつドラムユニット側の電気コネクタと装置本体側の電気コネクタとが接続された状態、すなわちレバーとドラムユニット側の電気コネクタとにそれぞれ設けられたギヤ部の位置を特定した後に歯車の交換をする必要がある。各ギヤ部の位置を特定せずに歯車の交換を行うと、レバーを上方に回動させて装置本体とドラムユニットとの係合が行われ、レバーとドラムユニット把持用取手の一部とが係合しているにもかかわらず、ドラムユニット側の電気コネクタの前進量が足りずに各電気コネクタが接続しない、あるいはレバーを上方に回動させてドラムユニット側の電気コネクタが装置本体側の電気コネクタに接続されているにもかかわらず、レバーとドラムユニット把持用取手との係合が行われない、といった不具合が発生する。
【０００７】
上述の不具合のうち、前者の不具合ではレバーを所定位置まで回動させても電気的接続がなされずに「ドラム未装着」という表示がなされるため、レバーをさらに無理矢理押し込むとレバー等の部材が変形あるいは破損する可能性がある。また、後者の不具合では「ドラム装着」という表示がなされるため、オペレーターが安心して装置本体の前カバーを閉じると、前カバーの内面と突出したレバーとが衝突し、各電気コネクタが接続している状態でさらにレバーが押し込まれるため、上述と同様に歯車が破損してしまう虞がある。
【０００８】
このように、駆動力伝達機構として歯車機構を用いると負荷に対して逃げが取れず、大きな負荷が作用したときに部材が破損する可能性が生じてしまうと共に、噛合位置が特定されているために正しく組み付けないと部品が破損する可能性が生じてしまうという問題点がある。
本発明は上記問題点を解決し、装置本体に対するドラムユニットの着脱機構とコネクタの着脱機構とを別機構にすると共に一体化させ、さらに負荷に対して逃げが取れると共に組み付け誤りによる不具合のない駆動力伝達機構を採用し、各部材の破損やコネクタ接続不良の発生を防止しつつ操作の簡易化と低コスト化とを実現可能な孔版印刷装置及びドラムユニットの提供を目的とする。
【０００９】
【課題を解決するための手段】
請求項１記載の発明は、電気接続用の被接続コネクタとドラムユニット固定用の被係合部とを有する印刷装置本体と、前記印刷装置本体に着脱自在であって前記被接続コネクタに接続可能なコネクタと前記被係合部に係合可能な係合部と前記コネクタ及び前記係合部を移動させる操作レバーとを有しマスタが巻き付けられる印刷ドラムを回転自在に支持するドラムユニットとを具備し、前記ドラムユニットが前記印刷装置本体の所定位置に置かれた状態で前記操作レバーを操作し、前記係合部を前記被係合部に係合する位置または係合を解除する位置に移動させることにより前記ドラムユニットを前記印刷装置本体に対して固定または固定解除し、前記係合部の移動に連動させて前記コネクタを移動させ、前記係合部と前記被係合部とが係合したときには前記コネクタと前記被接続コネクタとを接続させ、前記係合部と前記被係合部との係合が解除されたときには前記コネクタと前記被接続コネクタとの接続を解除させる孔版印刷装置であって、前記操作レバーの回動に連動させて前記コネクタを移動させる、前記操作レバーと前記コネクタとを繋ぐリンク部材を有する連動機構を有し、前記リンク部材は前記操作レバーが始点から終点まで回動する間にその回動動作の一部を前記コネクタに伝達させずに前記コネクタをその場に停留させる停留部を有することを特徴とする。
【００１０】
請求項２記載の発明は、請求項１記載の孔版印刷装置において、さらに前記操作レバーと前記リンク部材とが接続部材によって接続され、前記停留部は前記操作レバーの回動に伴って移動する前記接続部材の軌跡と同じ形状に形成されていることを特徴とする。
【００１１】
請求項３記載の発明は、請求項１または２記載の孔版印刷装置において、さらに前記操作レバーの回動範囲を規制するストッパーを有することを特徴とする。
【００１２】
請求項４記載の発明は、印刷ドラムを回転自在に支持し、印刷装置本体に着脱自在なドラムユニットであって、前記印刷装置本体に装着したときに自身と前記印刷装置本体とを電気的に接続する、接続位置と非接続位置とを選択的に占めるコネクタと、印刷装置本体に対して自身を固定する固定手段を固定位置と固定解除位置とに変位させる操作レバーと、前記操作レバーの操作に連動させて前記コネクタを接続位置と非接続位置とに移動させる、前記操作レバーと前記コネクタとを繋ぐリンク部材を有する連動機構とを有し、前記リンク部材は前記操作レバーが始点から終点まで回動する間にその回動動作の一部を前記コネクタに伝達させずに前記コネクタをその場に停留させる停留部を有することを特徴とする。
【００１３】
請求項５記載の発明は、請求項４記載のドラムユニットにおいて、さらに前記操作レバーと前記リンク部材とが接続部材によって接続され、前記停留部は前記操作レバーの回動に伴って移動する前記接続部材の軌跡と同じ形状に形成されていることを特徴とする。
【００１４】
請求項６記載の発明は、請求項４または５記載のドラムユニットにおいて、さらに前記操作レバーの回動範囲を規制するストッパーを有することを特徴とする。
【００１９】
【実施例】
図１は本発明の一実施例を採用した孔版印刷装置の要部側面図を、図２は同要部正面図を、図３は同要部斜視図をそれぞれ示している。同図において孔版印刷装置本体１には、被係合部である係止用のピン２と、印刷装置本体側の制御基板（図示せず）に接続された電気接続用の被接続コネクタ３とが配設されている。ピン２は、印刷装置本体１の側板に取り付けられたブラケット４に、後述する印刷ドラムユニット５に向かうように立設されており、ピン２と印刷ドラムユニット５を介して対向する位置には、ピン２と同様にブラケット４に立設された位置決め用の図示しないピンが配設されている。
【００２０】
印刷ドラムユニット５は、前壁枠体６及びこれとレール体７で繋がれた図示しない後壁枠体とを有しており、両壁枠体間において印刷ドラム８を回転自在に支持している。印刷ドラムユニット５は、印刷装置本体１に設けられた図示しない案内レールにレール体７を嵌合可能に構成されている。
【００２１】
前壁枠体６には、印刷装置本体１への装着時において、ピン２に嵌合する位置決め部６ａと、位置決め部６ａと同様に図示しないピンに嵌合する図示しない位置決め部と、前壁枠体６を構成する前面壁６ｂからユニット抜き出し方向へ垂直に立ち上がった側壁６ｃと、側壁６ｃと対向して前面壁６ｂから垂直に立ち上がった図示しない側壁とが形成されている。位置決め部６ａは側壁６ｃに一体形成され、ユニット挿入方向に突出して設けられている。前面壁６ｂには、後述する係合部が進退可能となるための窓部６ｄと、後述するスライド部材が進退可能となるための窓部６ｅ（図２、図３参照）とが形成されている。
【００２２】
側壁６ｃの内側には、側壁６ｃに形成された長穴６ｆに対して嵌合可能な２個の突起部９ａを一方の側面に有するスライド部材９が配設されている。スライド部材９は、その一端を窓部６ｅに対して進退自在とすべく側壁６ｃに移動自在に支持されており、各突起部９ａを側壁６ｃより僅かに突出させている。各突起部９ａの先端には図示しないタップが形成されており、そこにはブラケット１０が図示しないねじによって取り付けられている。ブラケット１０にはタップ１０ａが２箇所形成されており、そこには印刷ドラム８内の図示しない電装部品に接続された、被接続コネクタ３に対して係脱可能な接続部１１ａを有するコネクタ１１が、２本のねじ１２によって取り付けられている。またスライド部材９の他方の側面には、硬質部材からなる係合ピン９ｂが一体的に取り付けられている。
【００２３】
側壁６ｃの、長穴６ｆ形成位置の上方であってピン２の突出位置の側方には、側壁８ｃに植設された支軸１３及び前面壁６ｂに固着されたブラケット１４に螺合された段付ねじ１５によって回動自在に支持されたレバー１６が配設されている。略コ字形状に折り曲げられた板材からなるレバー１６は、その折り曲げられた両脚部１６ａ，１６ｂを印刷装置本体側に向けて取り付けられており、一方の脚部１６ａには係合部としての鈎部１６ｃと、段付係合ピン１６ｄとが形成されている。レバー１６は鈎部１６ｃがピン２と係合可能となる位置に配設されており、図１に示すように鈎部１６ｃとピン２とが係合して印刷ドラムユニット５を印刷装置本体１に対して固定する固定位置と、図４に示すように、鈎部１６ｃとピン２との係合が解除される解除位置とに選択的に位置決めされる。
【００２４】
脚部１６ａの上方には突起部１６ｅが形成されており、突起部１６ｅはレバー１６が固定位置を占めた際に図示しない側壁側に傾斜して形成された側壁６ｃの上部部分と当接し、これにより突起部１６ｅは固定位置におけるレバー１６のストッパーとして機能する。また、段付係合ピン１６ｄには、樹脂製の鍔付ブッシュ１９が回転自在に嵌合されている。接続部材としての鍔付ブッシュ１９は、その鍔部を脚部１６ａ側に向けて取り付けられている。
【００２５】
Ｌ型のブラケット１４は２本のねじ１７によってその一面を前面壁６ｂに取り付けられており、他面にはタップ１４ａと斜面部１４ｂとが形成されている。図４に示すように、レバー１６が解除位置を占めた際に斜面部１４ｂにはレバー１６の底辺部１６ｆが当接し、これにより斜面部１４ｂは解除位置におけるレバー１６のストッパーとして機能する。段付ねじ１５はタップ１４ａに螺合するねじ部と螺合しない段部とを有しており、波形ワッシャー１８を介してブラケット１４に螺合されている。段部の高さは脚部１６ｂの厚みよりも大きく形成されており、これにより脚部１６ｂを回動自在に支持している。
【００２６】
側壁６ｃの長穴６ｆ形成位置と支軸１３植設位置との間の位置には段付支軸２０が設けられており、この段付支軸２０によってレバー１６の回動動作をスライド部材９に伝達するリンク部材２１が回動可能に支持されている。リンク部材２１の下端にはＵ字形状の長溝２１ａが形成されており、この長溝２１ａには係合ピン９ｂが係合されている。リンク部材２１の上端にはほぼＵ字形状の長溝２１ｂが形成されており、この長溝２１ｂには鍔付ブッシュ１９が係合されている。長溝２１ｂは、図３を矢印Ａ方向より見た図５に示すように、その上方部が鈎部１６ｃ側に傾斜して形成されており、この傾斜した部分は、レバー１６が支軸１３を中心に回動されたときに鍔付ブッシュ１９が移動する軌跡と同じ形状、すなわち図５に一点鎖線ｋ１，ｋ２で示した形状となるように形成されている。リンク部材２１はＥリング２２によって段付支軸２０に取り付けられており、段付支軸２０の断部が適宜の高さに形成されていることにより、レバー１６の回動動作に伴って負荷なく移動可能に構成されている。
前壁枠体６の上部には、印刷ドラムユニット５を印刷装置本体１に対して着脱する際に把持される取手２３が一体的に設けられている。
【００２７】
上記構成により、印刷ドラムユニット５を印刷装置本体１に装着するときには、レール体７を図示しない案内レールに挿入し、印刷ドラムユニット５を印刷装置本体１内に押し込み、ピン２及び図示しないピンが各位置決め部６ａにガイドされながら緩く嵌合した後、印刷装置本体１に設けられた図示しない印刷ドラム駆動伝達部材が印刷ドラムユニット５に突き当たることによって、印刷装置本体１に対する印刷ドラムユニット５の軸線方向における概略の所定位置が決められる。また、このとき、印刷ドラムユニット５に設けられた図示しない２本の位置決めピンが印刷装置本体１に設けられた図示しない穴部に嵌合することで、印刷ドラムユニット５の軸線方向と直交する上下方向及び左右方向の所定位置が決められる。このときにレバー１６は解除位置を占めており、印刷ドラムユニット５は図４に示す状態となる。
【００２８】
図４に示す状態からレバー１６を上方へ押し上げ、レバー１６を支軸１３を中心に図４の時計回り方向に回動させる。この回動によりレバー１６が図１に示す固定位置まで移動されると、鈎部１６ｃとピン２とが係合して印刷ドラムユニット５が印刷装置本体１に対して位置決め固定される。
また、レバー１６が解除位置から固定位置まで回動される間に、図４から図６に示すまでの間はレバー１６の回動動作をリンク部材２１に伝達する鍔付ブッシュ１９が長溝２１ｂの上方部に嵌合しているため、鍔付ブッシュ１９は長溝２１ｂの形状に沿って移動し、レバー１６の回動動作はリンク部材２１には伝達されずにレバー１６のみが回動する。そして、レバー１６が図６に示す位置よりもさらに時計回り方向に回動されると、鍔付ブッシュ１９が長溝２１ｂの上方部からＵ字形状の下方部へと入り込み、図７に示すようにレバー１６の回動動作がリンク部材２１に伝達され、リンク部材２１が段付支軸２０を中心に図の反時計回り方向に回動される。リンク部材２１の回動により長溝２１ａに嵌合した係合ピン９ｂが図の右方へと移動され、スライド部材９及びこれにブラケット１０を介して連結されたコネクタ１１が右方へと移動されて、接続部１１ａが被接続コネクタ３に接続される。接続部１１ａの被接続コネクタ３への接続とほぼ同時に突起部１６ｅが側壁６ｃの上部部分に当接し、レバー１６は図１に示す固定位置に位置決めされる。
【００２９】
印刷ドラムユニット５を印刷装置本体１より抜脱するときには、レバー１６を引き下げて支軸１３を中心に図１において反時計回り方向に回動させる。この回動により鈎部１６ｃがピン２より外れ、印刷ドラムユニット５は孔版印刷装置本体１に対する位置決め固定を解除される。
また、レバー１６が固定位置から解除位置まで回動される間に、図１から図６に示すまでの間はレバー１６の回動動作をリンク部材２１に伝達する鍔付ブッシュ１９が長溝２１ｂの下方部に嵌合しているため、レバー１６の回動動作がリンク部材２１に伝達されてリンク部材２１が段付支軸２０を中心に図の時計回り方向に回動される。リンク部材２１の回動により長溝２１ａに嵌合した係合ピン９ｂが図の左方へと移動され、コネクタ１１が右方へと移動されて接続部１１ａが被接続コネクタ３から離脱される。そして、レバー１６が図６に示す位置まで回動されると、鍔付ブッシュ１９が長溝２１ｂの上方部に嵌合し、かつ左側の突起部９ａが長穴６ｆの端部に当接して、リンク部材２１の移動が規制される。この状態からさらにレバー１６が回動されると、鍔付ブッシュ１９が長溝２１ｂの上方部に嵌合していることからレバー１６のみが回動し、リンク部材２１は移動しない。そして、レバー１６の底辺部１６ｆがブラケット１４の斜面部１４ｂに当接することでレバー１６が解除位置に位置決めされる。
【００３０】
上述の構成により、レバー１６の回動動作に連動してコネクタ１１を移動させる連動機構にリンク部材２１を用いることにより、ラックアンドピニオンを用いたときのような組み付け上の位置関係を排除することができ、メンテナンス時における組み付け誤りによる部品損傷等の不具合の発生を防止することができる。また、リンク部材２１に長溝２１ｂを設け、この長溝２１ｂの上方部をレバー１６の回動により移動する鍔付ブッシュ１９の移動軌跡と同じ形状として停留部を形成することにより、印刷ドラムユニット５の抜脱時にレバー１６を下方に強く押し下げてもこの操作力をリンク部材２１に伝達させることがないため、荒い使われ方をしても機械の損傷を防止することができる。さらに、レバー１６の回動範囲を規制する、ストッパーとしての突起部１６ｅ及び斜面部１４ｂを設けることにより、レバー１６の移動を機械的に規制して無理な力をリンク部材２１に作用させることがないため、リンク部材２１の破損を防止することができる。
【００３１】
図８は、本発明の一実施例の変形例を示している。この変形例は、上述の実施例と比較すると、レバー１６に代えてレバー２４を用いる点、及びリンク部材２１に代えてリンク部材２５を用いる点においてのみ相違しており、他の構成は同一である。
【００３２】
レバー２４は、レバー１６と同様に一対の脚部（一方のみを符号２４ａで示す）、係合部としての鈎部２４ｂ、ストッパーとしての図示しない突起部、底辺部２４ｃ等を有しており、レバー１６と同様に前壁枠体６に回動自在に取り付けられている。レバー２４は脚部２４ａの一部に長溝２４ｄを有しており、この長溝２４ｄは、脚部２４ａの外周部から支軸１３に向かってほぼ直線的に形成された下方部と、下方部につながりその中心線が支軸１３を中心とした円弧ｋ３上に位置する上方部とを有している。
【００３３】
リンク部材２５はリンク部材２１と同様に長溝２５ａを有しており、段付支軸２０によって回動自在に支持されている。リンク部材２５の、長溝２５ａが形成された端部と対向する端部近傍には支軸２５ｂが植設されており、この支軸２５ｂには接続部材としての樹脂製の軸受２５ｃが回転自在に取り付けられている。
【００３４】
上述の構成より、軸受２５ｃを長溝２４ｄに嵌合させた状態でレバー２４とリンク部材２５とを取り付けることにより、長溝２４ｄの上方部が停留部として機能し、上記実施例と同様の作用効果を得ることができる。
【００３５】
【発明の効果】
本発明によれば、レバーの回動動作に連動してコネクタを移動させる連動機構にリンク部材を用いることにより、ラックアンドピニオンを用いたときのような組み付け上の位置関係を排除することができ、メンテナンス時における組み付け誤りによる部品損傷等の不具合の発生を防止することができる。
また、リンク部材に停留部を形成することにより、印刷ドラムユニットの抜脱時にレバーを下方に強く押し下げてもこの操作力をリンク部材に伝達させることがないため、荒い使われ方をしても機械の損傷を防止することができる。
さらに、レバーの回動範囲を規制するストッパーを設けることにより、レバーの移動を機械的に規制して無理な力をリンク部材に作用させることがないため、リンク部材の破損を防止することができる。
【図面の簡単な説明】
【図１】本発明の一実施例を採用した孔版印刷装置の印刷ドラムユニットを示す部分側面図である。
【図２】本発明の一実施例における印刷ドラムユニット要部の部分正面図である。
【図３】本発明の一実施例における印刷ドラムユニット要部の分解斜視図である。
【図４】本発明の一実施例における印刷ドラムユニットの固定解除状態を示す部分側面図である。
【図５】本発明の一実施例に用いられるレバーとリンク部材とを説明する、図３を矢印Ａ方向から見た図である。
【図６】本発明の一実施例における印刷ドラムユニットのレバーの回動とコネクタの移動とを説明する図である。
【図７】本発明の一実施例における印刷ドラムユニットのレバーの回動とコネクタの移動とを説明する図である。
【図８】本発明の一実施例の変形例に用いられるレバーとリンク部材とを説明する図である。
【符号の説明】
１  孔版印刷装置本体
２  被係合部（ピン）
３  被接続コネクタ
５  印刷ドラムユニット
８  印刷ドラム
１１  コネクタ
１４ｂ  ストッパー（斜面部）
１６  操作レバー（レバー）
１６ｃ  係合部（鈎部）
１６ｅ  ストッパー（突起部）
１９  接続部材（鍔付ブッシュ）
２１，２５  リンク部材
２１ｂ，２４ｄ  停留部（長溝）
２５ｃ  接続部材（軸受）
ｋ１，ｋ２  接続部材の軌跡
【図１】
0004764543.tif 000002
【図２】
0004764543.tif 000003
【図３】
0004764543.tif 000004
【図４】
0004764543.tif 000005
【図５】
0004764543.tif 000006
【図６】
0004764543.tif 000007
【図７】
0004764543.tif 000008
【図８】
0004764543.tif 000009